(57)【要約】【課題】多くの情報を瞬時に伝えることができ、かつ薄くて軽い差替え式タッチパネルを提供すること。【解決手段】差替え式タッチパネル１は、絶縁性基板２１と複数の導電パッド２２と信号認識部とリード部とを有するパネル本体２と、絶縁シート３１の裏面に複数のマークを描いてなりパネル本体に差替え可能に形成された複数の差替えシート３とからなる。差替えシートは各マークに対応する位置に導電パターン３３を形成してなる。差替えシートをパネル本体に装着したとき、導電パターンが導電パッドのうちの複数の導電パッドを短絡させる。マークの部分を絶縁性基板の表面または絶縁シートの裏面から指で触れたとき、静電容量に基づく電流が導電パッドからリード部を介して信号認識部へ流れることにより、いずれのマークが触指されたかを認識し、その情報を出力する。【選択図】図２
2011096068.tif 000002
【特許請求の範囲】
【請求項１】
フィルム状の絶縁性基板と、該絶縁性基板の裏面に形成された互いに独立した複数の導電パッドと、該導電パッドからの電気信号を受信する信号認識部と、該信号認識部と複数の上記導電パッドとをそれぞれ接続するリード部とを有するパネル本体と、
絶縁シートの裏面に互いに独立した複数のマークを描いてなり、上記パネル本体に差替え可能に形成された複数の差替えシートとからなり、
該差替えシートは、上記絶縁シートの表面における上記各マークに対応する位置に導電パターンを形成してなり、
上記差替えシートを上記絶縁性基板に重ね合わせるように、上記差替えシートを上記パネル本体に装着したとき、上記導電パターンが上記導電パッドのうちの少なくとも２個の導電パッドを短絡させ、
上記マークの部分を上記絶縁性基板の表面または上記絶縁シートの裏面から指で触れたとき、該指と上記導電パッドとの間における静電容量に基づく電流が上記導電パッドから上記リード部を介して上記信号認識部へ流れることにより、いずれの上記マークが触指されたかを認識し、その情報を出力できるよう構成されていることを特徴とする差替え式タッチパネル。
【請求項２】
請求項１に記載の差替え式タッチパネルにおいて、上記絶縁性基板は透明な樹脂からなり、上記導電パッド及び上記導電パターンは透明導電膜からなることを特徴とする差替え式タッチパネル。
【請求項３】
請求項２に記載の差替え式タッチパネルにおいて、上記リード部は透明導電膜からなることを特徴とする差替え式タッチパネル。
【請求項４】
請求項２又は３に記載の差替え式タッチパネルにおいて、上記絶縁シートは透明な樹脂からなることを特徴とする差替え式タッチパネル。
【請求項５】
請求項１〜３のいずれか一項に記載の差替え式タッチパネルにおいて、上記複数の差替えシートは、互いに上記導電パターンの厚み、幅、導電率の少なくとも一つが異なることを特徴とする差替え式タッチパネル。
【請求項６】
請求項１〜４のいずれか一項に記載の差替え式タッチパネルにおいて、上記複数の差替えシートは、互いに上記導電パターンのパターン形状が異なることを特徴とする差替え式タッチパネル。
【請求項７】
請求項１〜５のいずれか一項に記載の差替え式タッチパネルにおいて、上記差替えシートは、上記各マークの形成位置にＬＥＤベアチップを配置してなり、該ＬＥＤベアチップは、一方の電極を上記絶縁シートの表面に形成した導電層に接続し、他方の電極を上記パネル本体における上記導電パッドに対向配置させており、上記マークの形成部分が押圧されたとき、上記他方の電極が上記導電パッドに接触するとともに上記指と上記導電パッドとの間における静電容量に基づく電流が上記ＬＥＤベアチップに流れることによって、該ＬＥＤベアチップが発光するよう構成されていることを特徴とする差替え式タッチパネル。
【請求項８】
請求項１〜６のいずれか一項に記載の差替え式タッチパネルにおいて、上記パネル本体には、無線送信手段が配設されていることを特徴とする差替え式タッチパネル。
【発明の詳細な説明】
【技術分野】
【０００１】
本発明は、複数の差替えシートのうちの一つをパネル本体に装着した状態で差替えシートに描かれたマークのうちの一つを選んで意思伝達を行うための差替え式タッチパネルに関する。
【背景技術】
【０００２】
複数の差替えシートを準備し、それぞれに描かれた文字や図形を選んで、意思伝達を行う手段として、例えば特許文献１に開示された意思伝達装置がある。
この意思伝達装置は、複数のＬＥＤを備えた点灯盤に対して、複数の差替えシートのうちの１枚を装着して用いる。そして、差替えシートにマトリックス状に描かれた複数の文字や図形に対応する位置において、点灯盤にＬＥＤが配置されており、意思表示者が、意思表示したい文字や図形に対応する位置のＬＥＤを点灯させることにより、意思表示を行う。
【先行技術文献】
【特許文献】
【０００３】
【特許文献１】特開２００４−２８６７６８号公報
【発明の概要】
【発明が解決しようとする課題】
【０００４】
しかしながら、上記意思表示装置は、上記特許文献１の「発明の実施の形態」にも説明されているように、非常に多くのステップを経て一つの文字や図形を特定することとなるため、利便性に欠けるし、多くの情報を瞬時に伝えることができない。
また、装置自体が大きいため、持ち運びが困難であるという問題もある。
【０００５】
本発明は、かかる問題点に鑑みてなされたもので、多くの情報を瞬時に伝えることができ、かつ薄くて軽い差替え式タッチパネルを提供しようとするものである。
【課題を解決するための手段】
【０００６】
本発明は、フィルム状の絶縁性基板と、該絶縁性基板の裏面に形成された互いに独立した複数の導電パッドと、該導電パッドからの電気信号を受信する信号認識部と、該信号認識部と複数の上記導電パッドとをそれぞれ接続するリード部とを有するパネル本体と、
絶縁シートの裏面に互いに独立した複数のマークを描いてなり、上記パネル本体に差替え可能に形成された複数の差替えシートとからなり、
該差替えシートは、上記絶縁シートの表面における上記各マークに対応する位置に導電パターンを形成してなり、
上記差替えシートを上記絶縁性基板に重ね合わせるように、上記差替えシートを上記パネル本体に装着したとき、上記導電パターンが上記導電パッドのうちの少なくとも２個の導電パッドを短絡させ、
上記マークの部分を上記絶縁性基板の表面または上記絶縁シートの裏面から指で触れたとき、該指と上記導電パッドとの間における静電容量に基づく電流が上記導電パッドから上記リード部を介して上記信号認識部へ流れることにより、いずれの上記マークが触指されたかを認識し、その情報を出力できるよう構成されていることを特徴とする差替え式タッチパネルにある（請求項１）。
【発明の効果】
【０００７】
上記差替え式タッチパネルにおいては、上記マークを指で触れたとき、該マークに対応する位置における上記絶縁シートの表面に形成された導電パターンによって互いに短絡された複数の導電パッドに電流が流れ、上記信号認識部へ電気信号が送られる。これにより、上記信号認識部は差替えシートにおけるいずれのマークが触指されたかを認識する。そして、その情報をパソコン画面上に表示したり、音声信号に変換したりして、第三者に伝えることができる。
このようにして、意思表示者が視認できるマークを直接触指するだけで、瞬時に第三者に意思伝達することができる。また、そのため、多くの情報を次々と伝えることができる。
【０００８】
また、上記パネル本体は、絶縁性基板とその裏面に形成した導電パッド及びリード部と、信号認識部とによって構成されるため、厚みを小さくすることができると共に軽量とすることができる。
また、差替えシートも、絶縁シートとその表面に形成した導電パターンによって構成されるため、同様に、厚みを小さくすることができると共に、軽量とすることができる。
その結果、薄くて軽量の差替え式タッチパネルを得ることができる。
【０００９】
また、上記差替え式タッチパネルは、複数の差替えシートを差し替えて使用することができるため、差替えシートを多数用意すれば、１台のパネル本体によって、多種多様の情報伝達に用いることができる。
【００１０】
以上のごとく、本発明によれば、多くの情報を瞬時に伝えることができ、かつ薄くて軽い差替え式タッチパネルを提供することができる。
【図面の簡単な説明】
【００１１】
【図１】実施例１における、差替え式タッチパネルの平面図。
【図２】図１のＡ−Ａ線矢視断面図。
【図３】図１のＢ−Ｂ線矢視断面図。
【図４】図１のＣ視図。
【図５】実施例１における、パネル本体（導電パッドを形成した絶縁基板）の平面図。
【図６】実施例１における、パネル本体の導電パッドとリード部と信号認識部の平面説明図。
【図７】実施例１における、差替えシートの平面図。
【図８】実施例１における、差替えシートの導電パターンの平面図。
【図９】実施例１における、パネル本体に差替えシートを装着したときの導電パッドと導電パターンの平面図。
【図１０】実施例２における、パネル本体に差替えシートを装着したときの導電パッドと導電パターンの平面図。
【図１１】実施例３における、パネル本体に差替えシートを装着したときの導電パッドと導電パターンの平面図。
【図１２】実施例４における、ＬＥＤベアチップの配設状態を示す差替え式タッチパネルの局部の断面説明図。
【発明を実施するための形態】
【００１２】
本発明にかかる差替え式タッチパネルは、例えば、飲食店のメニュー表や、子供用玩具、学習補助具等に用いることができる。
また、本明細書において「表面」、「裏面」は便宜的なものである。
【００１３】
また、上記絶縁性基板は透明な樹脂からなり、上記導電パッド及び上記導電パターンは透明導電膜からなることが好ましい（請求項２）。
この場合には、上記パネル本体側から上記差替えシートに描かれたマークを視認することができるため、パネル本体側からマークを触指して、入力することができる。
また、上記差替えシートの上記絶縁シートを透明にしておくか、あるいは絶縁シートの表裏にマークを描いておくことにより、パネル本体側と差替えシート側との双方からマークに触指することができる。そのため、両面側からの入力が可能となり、例えば、対面での遊びや勉強等の文具として利用することもできる。
【００１４】
また、上記リード部は透明導電膜からなることが好ましい（請求項３）。
この場合には、よりマークの視認性を向上させることができる。また、リード部によって、差替え式タッチパネルの意匠性が損なわれることを防ぐことができる。
【００１５】
また、上記絶縁シートは透明な樹脂からなることが好ましい（請求項４）。
この場合には、上記差替え式タッチパネルにおいて、少なくともマークが存在する領域の周囲を透明にして、パネル背景の視認性を確保するとともに、マークの視認性を高めることができる。
これにより、上記差替え式タッチパネルの表裏のいずれからの入力も容易となる。そのため、例えば、対面での遊びや勉強等の文具として利用することもできる。
【００１６】
また、上記複数の差替えシートは、互いに上記導電パターンの厚み、幅、導電率の少なくとも一つが異なることが好ましい（請求項５）。
この場合には、各マークに触指したときに流れる電流の大きさによって、複数の差替えシートを容易に識別することができる。すなわち、差替えシートにおける同じ位置のマークが触指されたとき、流れる電流を、差替えシートごとに異ならせることができる。これにより、複数の差替えシートを識別して、それぞれの差替えシートに描かれたマークに対応する情報を容易かつ正確に認識することができる。
【００１７】
また、上記複数の差替えシートは、互いに上記導電パターンのパターン形状が異なることが好ましい（請求項６）。
この場合には、上記差替えシートごとに、導電パターンが短絡させる導電パッドの組み合わせを変更することができる。これにより、差替えシートにおける同じ位置のマークが触指された場合にも、異なる電気信号を信号認識部に送ることができ、差替えシートの識別を容易かつ正確に行うことができる。その結果、それぞれの差替えシートに描かれたマークに対応する情報を容易かつ正確に認識することができる。
【００１８】
また、上記差替えシートは、上記各マークの形成位置にＬＥＤベアチップを配置してなり、該ＬＥＤベアチップは、一方の電極を上記絶縁シートの表面に形成した導電層に接続し、他方の電極を上記パネル本体における上記導電パッドに対向配置させており、上記マークの形成部分が押圧されたとき、上記他方の電極が上記導電パッドに接触するとともに上記指と上記導電パッドとの間における静電容量に基づく電流が上記ＬＥＤベアチップに流れることによって、該ＬＥＤベアチップが発光するよう構成されていることが好ましい
（請求項７）。
この場合には、使用者が所望のマークの情報を確実に入力できたか否かを確認することができる。また、発光体としてＬＥＤベアチップを用いるため、差替えシートの厚みが大きくなることを防ぐことができ、また、ＬＥＤベアチップがマークの視認性を妨げることを抑制することができる。
【００１９】
また、上記パネル本体には、無線送信手段が配設されていることが好ましい（請求項８）。
この場合には、使用者が触指によって表示した意思を、差替え式タッチパネルから離れた位置において、パソコン画面等に表示したり、音声に変換したり、印刷したり、あるいは記録媒体に記録したりすることができる。そのため、本発明の差替え式タッチパネルを、一層有効に利用することができる。
【実施例】
【００２０】
（実施例１）
本発明の実施例にかかる差替え式タッチパネルにつき、図１〜図９を用いて説明する。
本例の差替え式タッチパネル１は、パネル本体２と、パネル本体２に差替え可能に形成された複数の差替えシート３とからなる。
【００２１】
パネル本体２は、図２〜図６に示すごとく、フィルム状の絶縁性基板２１と、該絶縁性基板２１の裏面に形成された互いに独立した複数の導電パッド２２と、該導電パッド２２からの電気信号を受信する信号認識部２３と、該信号認識部２３と複数の導電パッド２２とをそれぞれ接続するリード部２４とを有する。
【００２２】
差替えシート３は、図７に示すごとく、絶縁シート３１の裏面に互いに独立した複数のマーク３２を描いてなる。また、差替えシート３は、図８に示すごとく、絶縁シート３１の表面における各マーク３２に対応する位置に導電パターン３３を形成してなる。
そして、図２〜図４、図９に示すごとく、差替えシート３を絶縁性基板２１に重ね合わせるように、差替えシート３をパネル本体２に装着したとき、導電パターン３３が導電パッド２２のうちの少なくとも２個の導電パッド２２を短絡させる。
【００２３】
マーク３２の部分を絶縁性基板２１の表面または絶縁シート３１の裏面から指で触れたとき、該指と導電パッド２２との間における静電容量に基づく電流が導電パッド２２からリード部２４を介して信号認識部２３へ流れることにより、いずれのマーク３２が触指されたかを認識する。そして、差替え式タッチパネル１は、その情報を出力できるよう構成されている。
【００２４】
絶縁性基板２１及び絶縁シート３１は透明な樹脂からなる。本例では、これらは、ＰＥＴ（ポリエチレンテレフタレート）からなる。ＰＥＴに代えて、ＰＥＮ（ポリエチレンナフタレート）、アクリル樹脂等を用いることもできる。
また、導電パッド２２、リード部２４、及び導電パターン３３は透明導電膜からなる。本例においては、これらは、ＩＴＯ（錫ドープ酸化インジウム）からなる。そして、これらは、絶縁性基板２１の裏面又は絶縁シート３１の表面にスパッタリングによって形成することができる。
【００２５】
また、図１に示すごとく、パネル本体２は、導電パッド２２を設けた絶縁性基板２１を保持すると共に、差替えシート３１を装着するスペースを設けた枠体２５を有する。すなわち、絶縁性基板２１及び差替えシート３１は長方形状を有し、上記枠体２５は、この長方形の４辺に沿うように形成されている。
【００２６】
枠体２５は、図２〜図４に示すごとく、絶縁性基板２１をその４辺の端部における表面に沿って固定した表側枠体２５１と、該表側枠体２５１との間にスペーサ２５３を介して表側枠体２５１の裏面側に配された裏側枠体２５２とからなる。表側枠体２５１と裏側枠体２５２とは、４隅において互いにボルト２５４とナット２５５とによって締結されており、ボルト２５４はスペーサ２５３の軸孔を貫通している。
【００２７】
枠体２５は、透明なポリカーボネート等のプラダン（プラスチック段ボール）からなる。また、ボルト２５４やナット２５５、及びスペーサ２５３は、差替え式タッチパネル１の軽量化のために、樹脂性のものを用いることが望ましい。
また、枠体２５には、差替えシート３１を長辺部分において支持するためのガイド２６を設けてある。
【００２８】
信号認識部２３は、枠体２５内に埋め込まれた状態で配設されたＣＰＵからなる。ＣＰＵは複数個配置されていてもよい。また、ＣＰＵを駆動するための電源となるボタン電池や、後述するように信号認識部２３によって認識した信号を外部へ無線送信するためのブルートゥース（登録商標）等の無線送信手段も、枠体２５に埋め込まれている（図示略）。
【００２９】
パネル本体２の絶縁性基板２１の表面には、アクリル系樹脂からなる透明なハードコート層２１１が形成されている。また、絶縁性基板２１の裏面には、図５に示すごとく、多数の導電パッド２２が、縦横に整列して形成されている。
図６に示すごとく、各導電パッド２２にはリード部２４の一端が接続されており、各リード部２４の他端はそれぞれ信号認識部２３に接続されている。
【００３０】
図７に示すごとく、差替えシート３は、互いに独立した複数のマーク３２を描いてなる。絶縁シート３１及び導電パターン３３が透明であるため、マーク３２は、絶縁シート３１の表面に印刷されていてもよいし、裏面に印刷されていてもよく、場合によっては内部に印刷されていてもよい。
マーク３２は、例えば、アルファベットやひらがな、カタカナ、漢字等の文字や単語や文章であってもよいし、○、×、△等の記号であってもよいし、飲食物あるいは動物や植物等の絵であってもよい。
【００３１】
このようなマーク３２が、差替えシート３に、やはり縦横に多数整列して印刷されている。各マーク３２は、差替えシート３をパネル本体２に装着したとき、図９に示すごとく、パネル本体２における縦横２行×２列に整列した４つの導電パッド２２と重なるように配置される。なお、本例においては、各マーク３２が４つの導電パッド２２と重なる例を示すが、本発明においては、各マーク３２は複数の導電パッド２２と重なればよく、「４つ」に限定されるものではない。
【００３２】
また、各マーク３２が描かれた部分の表面には、図８に示すごとく、導電パターン３３が形成されている。導電パターン３３は、差替えシート３をパネル本体２に装着したとき、図９に示すごとく、縦横２行×２列に整列した４つの導電パッド２２を互いに短絡させるように形成されている。
【００３３】
次に、本例の差替え式タッチパネル１の使用方法につき説明する。
まず、複数の差替えシート３のうち、使用者の好みや利用目的に応じて任意の差替えシート３を選んで、パネル本体２に装着する。この状態が、図１〜図４に示す状態である。
この状態においては、パネル本体２における導電パッド２２と差替えシート３における導電パターン３３とが互いに接触し、共通のマーク３２に重なる導電パッド２２同士が導電パターン３３によって電気的に短絡する。
【００３４】
この状態において、使用者がいずれかのマーク３２に指を触れると、指とその指が触れた位置に形成された導電パッド２２との間の静電容量に基づく電流が、リード部２４を介して信号認識部２３へ流れる。また、このとき、当該マーク３２の形成位置に設けられた導電パターン３３によって互いに短絡された４個の導電パッド２２から、それぞれ電流がリード部２４を介して信号認識部２３へ流れる。
なお、マーク３２への触指は、パネル本体２の絶縁性基板２１側からでもよいし、差替えシート３の絶縁シート３１側からでもよい。
【００３５】
これにより、信号認識部２３は、差替えシート３に描かれた複数のマーク３２のうち何れのマーク３２が触指されたかを認識する。
この認識した情報は、パネル本体２に設けられた無線送信手段（図示略）によって、パソコンに送られ、該パソコンにおいてその情報を画面に表示されたり、音声に変換されたり、あるいは印刷されたりする。
【００３６】
また、差替えシート３は複数用意されており、それぞれ異なる情報が描かれたものとすることができる。そして、状況に応じて差替えシート３をパネル本体２に差し替えて、種々の情報の伝達に用いることができる。このとき、信号認識部２３は、複数の差替えシート３の区別を認識できるよう構成されている必要がある。すなわち、異なる差替えシート３における同じ位置のマーク３２が触指されたとき、それらの情報は異なっていることを認識するよう構成されている。
【００３７】
本例の差替え式タッチパネル１は、例えば飲食店におけるメニュー注文システムに用いることができる。すなわち、通常のメニュー表と同様に、差替えシート３における複数のマーク３２を種々の飲食物の絵や写真或いは名称とする。そして、客が所望のメニューのマーク３２を触指したとき、その情報が信号認識部３２において認識され、厨房や会計におけるコンピュータへ送信されるようにすることができる。
そして、例えば、複数の差替えシート３のうち、１枚は食事メニュー、他の１枚は飲み物メニュー、さらに他の１枚はデザートメニューといったように、複数の差替えシート３を使い分けることができる。
【００３８】
なお、本発明の差替え式タッチパネル１は、上記のような飲食店におけるメニュー注文システム以外にも、例えば、子供用玩具、学習補助具等、種々の目的に利用することができる。
【００３９】
次に、本例の作用効果につき説明する。
上記差替え式タッチパネル１においては、マーク３２を指で触れたとき、該マーク３２に対応する位置における絶縁シート３１の表面に形成された導電パターン３３によって互いに短絡された複数の導電パッド２２に電流が流れ、信号認識部２３へ電気信号が送られる。これにより、信号認識部２３は差替えシート３におけるいずれのマーク３２が触指されたかを認識する。そして、その情報をパソコン画面上に表示したり、音声信号に変換したりして、第三者に伝えることができる。
このようにして、意思表示者が視認できるマーク３２を直接触指するだけで、瞬時に第三者に意思伝達することができる。また、そのため、多くの情報を次々と伝えることができる。
【００４０】
また、パネル本体２は、絶縁性基板２１と、その裏面に形成した導電パッド２２及びリード部２４と、信号認識部２３とによって構成されるため、厚みを小さくすることができると共に軽量とすることができる。
また、差替えシート３も、絶縁シート３１とその表面に形成した導電パターン３３とによって構成されるため、同様に、厚みを小さくすることができると共に、軽量とすることができる。
その結果、薄くて軽量の差替え式タッチパネル１を得ることができる。
【００４１】
また、差替え式タッチパネル１は、複数の差替えシート３を差し替えて使用することができるため、差替えシート３を多数用意すれば、１台のパネル本体２によって、多種多様の情報伝達に用いることができる。
【００４２】
また、絶縁性基板２１は透明な樹脂からなり、導電パッド２２及び導電パターン３３は透明導電膜からなる。そのため、パネル本体２側から差替えシート３に描かれたマーク３２を視認することができるため、パネル本体２側からマーク３２を触指して、入力することができる。
また、差替えシート３の絶縁シート３１も透明であるため、パネル本体２側と差替えシート３側との双方からマーク３２に触指することができる。そのため、両面側からの入力が可能となり、例えば、対面での遊びや勉強等の文具、又は飲食店のメニューとして利用することもできる。
【００４３】
さらに、リード部２４も透明導電膜からなるため、よりマーク３２の視認性を向上させることができる。また、リード部２４によって、差替え式タッチパネル１の意匠性が損なわれることを防ぐことができる。
【００４４】
以上のごとく、本例によれば、多くの情報を瞬時に伝えることができ、かつ薄くて軽い差替え式タッチパネルを提供することができる。
【００４５】
（実施例２）
本例は、図１０に示すごとく、複数の差替えシート３間において、互いに導電パターン３３の厚み、幅、導電率の少なくとも一つが異なっている例である。
特に、本例では、導電パターン３３の幅を、差替えシート３ごとに異ならせている。
つまり、例えば、図１０（Ａ）に示す、ある差替えシート３ａは、導電パターン３３の線幅が比較的細く、図１０（Ｂ）に示す他の差替えシート３ｂは、導電パターン３３の線幅が比較的太い。
その他は、実施例１と同様である。
【００４６】
本例の場合には、各マーク３２に触指したときに流れる電流の大きさによって、複数の差替えシート３を容易に識別することができる。すなわち、差替えシート３における同じ位置のマーク３２が触指されたとき、流れる電流を、差替えシート３ごとに異ならせることができる。すなわち、図１０（Ａ）に示す差替えシート３ａを用いた場合には、比較的電流値が小さくなり、図１０（Ｂ）に示す差替えシート３ｂを用いた場合には、比較的電流値が大きくなる。
これにより、複数の差替えシート３を識別して、それぞれの差替えシート３に描かれたマーク３２に対応する情報を容易かつ正確に認識することができる。
その他、実施例１と同様の作用効果を有する。
【００４７】
なお、差替えシート３ごとに、導電パターン３３の厚み又は導電率を異ならせることによっても、上記と同様の作用効果を得ることが可能である。
【００４８】
（実施例３）
本例は、図１１に示すごとく、複数の差替えシート３間において、互いに導電パターン３３のパターン形状が異なっている例である。
つまり、例えば、図１１（Ａ）に示す、ある差替えシート３ｃは、パネル本体２に装着したとき、導電パターン３３がマーク３２に重なる４個の導電パッド３２のうち、右下以外の３個の導電パッド２２を短絡させるように形成されている。また、図１１（Ｂ）に示す他の差替えシート３ｄは、パネル本体２に装着したとき、導電パターン３３がマーク３２に重なる４個の導電パッド３２のうち、左上以外の３個の導電パッド２２を短絡させるように形成されている。
その他は、実施例１と同様である。
【００４９】
本例の場合には、上記差替えシート３ごとに、導電パターン３３が短絡させる導電パッド２２の組み合わせを変更することができる。これにより、差替えシート３における同じ位置のマーク３２が触指された場合にも、異なる電気信号を信号認識部２３に送ることができ、差替えシート３の識別を容易かつ正確に行うことができる。その結果、それぞれの差替えシート３に描かれたマーク３２に対応する情報を容易かつ正確に認識することができる。
その他、実施例１と同様の作用効果を有する。
【００５０】
（実施例４）
本例は、図１２に示すごとく、差替えシート３における各マーク３２の形成位置にＬＥＤベアチップ４を配置した例である。
ＬＥＤベアチップ４は、一方の電極４１を絶縁シート３１の表面に部分的に形成した導電層３４に接続し、他方の電極４２をパネル本体２における導電パッド２２に対向配置させている。
【００５１】
また、マーク３２の形成部分における絶縁性基板２１又は絶縁シート３１が押圧されていないときには、ＬＥＤベアチップ４の電極４２に導電パッド２２が接触しないようにするために、ＬＥＤベアチップ４の周囲における導電層３４と導電パッド２２との間に、絶縁スペーサ４３を配設してある。
そして、マーク３２の形成部分が押圧されたとき、電極４２が導電パッド２２に接触するとともに指と導電パッド２２との間における静電容量に基づく電流がＬＥＤベアチップ４に流れることによって、該ＬＥＤベアチップ４が発光する。
その他は、実施例１と同様である。
【００５２】
本例の場合には、使用者が所望のマーク３２の情報を確実に入力できたか否かを確認することができる。また、発光体としてＬＥＤベアチップ４を用いるため、差替えシート３の厚みが大きくなることを防ぐことができ、また、ＬＥＤベアチップ４がマーク３２の視認性を妨げることを抑制することができる。
その他、実施例１と同様の作用効果を有する。
【符号の説明】
【００５３】
１  差替え式タッチパネル
２  パネル本体
２１  絶縁性基板
２２  導電パッド
２３  信号認識部
２４  リード部
３  差替えシート
３１  絶縁シート
３２  マーク
３３  導電パターン
【図１】
2011096068.tif 000003
【図２】
2011096068.tif 000004
【図３】
2011096068.tif 000005
【図４】
2011096068.tif 000006
【図５】
2011096068.tif 000007
【図６】
2011096068.tif 000008
【図７】
2011096068.tif 000009
【図８】
2011096068.tif 000010
【図９】
2011096068.tif 000011
【図１０】
2011096068.tif 000012
【図１１】
2011096068.tif 000013
【図１２】
2011096068.tif 000014